(57)【要約】【課題】断熱工法として望ましい外断熱工法の普及がなされるために、簡便に施工が出来て容易に外断熱工法の目的を達成出来うるコンクリート壁の外断熱施工方法および外断熱構造を提供することを目的とする。【解決手段】コンクリート外壁部７の外面に平行な間隔で縦方向に長尺状で断面が略溝形もしくはＨ形に類した両端にフランジ部を有する形状の長尺状部材１を外壁部７に埋設されたアンカーボルト４に留め付けて、部材１、１間に断熱材５を敷設するとともに部材１形状内の空間にも断熱材５ａを充填し、部材１の外側のフランジ部に平行な間隔で水平方向に長尺状で両端にフランジ部を有した断面が略Ｕ字形のＵ字長尺状部材２を締結して、外装材６を部材２の外側のフランジ部２ａに締結し、付加して、部材２、２間に断熱材５を留め付けるための長尺状で断面が略Ｌ字形状のＬ字長尺状部材３を部材１のフランジ部１ａに締結したことを特徴とする。【選択図】　　　　図１
2004019095.tif 000002
【特許請求の範囲】
【請求項１】
主要な施工内容が、コンクリート外壁部の外面に平行に間隔を保って縦方向に長尺状で断面が略溝形もしくはＨ形に類した両端部にフランジ部を有する形状の長尺状部材を該部材のコンクリート面側のフランジ部にてコンクリート外壁部に埋設されたアンカーボルトに締結して、次に、コンクリート表面に一面を接して前記長尺状部材間に断熱材を敷設するとともに前記長尺状部材の形状内に生ずる空間にも断熱材を充填し、その後、前記長尺状部材の外部側のフランジ部に平行な間隔を保って水平方向に長尺状で両端部にフランジ部を有した断面が略Ｕ字形のＵ字長尺状部材を締結して、その後、外装材を前記Ｕ字長尺状部材の外部側のフランジ部に締結したことを特徴とするコンクリート壁の外断熱施工方法。
【請求項２】
請求項１に記載のコンクリート壁の外断熱施工方法に付加して、平行に敷設された前記Ｕ字長尺状部材間に断熱材を留め付けるための長尺状で断面が略Ｌ字に類した形状のＬ字長尺状部材を前記長尺状部材の外部側のフランジ部に締結したことを特徴とするコンクリート壁の外断熱施工方法。
【請求項３】
主要部が請求項１または請求項２に記載のコンクリート壁の外断熱施工方法により構成された構造を有することを特徴とするコンクリート壁の外断熱構造。
【発明の詳細な説明】
【０００１】
【発明の属する技術分野】
本発明は、コンクリート外壁部の断熱を行う場合におけるコンクリート壁の外断熱施工方法および外断熱構造に関する。
【０００２】
【従来の技術】
近年、省エネルギーと居住性の観点から建築物の断熱が注目されて来ている。コンクリート壁面の場合の断熱工法としては、壁面の外側に断熱材を敷設するいわゆる外断熱工法と壁面の内側に断熱材を敷設するいわゆる内断熱工法に大別される。しかし、居住空間としては通常２０〜２５℃近辺の一定の温度環境が求められ、内断熱工法では冬季には壁面等が外気により冷却され壁面付近での結露の発生は避けられず、結露現象の拡大は黴の発生および部材の腐朽等を進行させ居住環境に悪影響を及ぼす現象を惹起させその一例がアトピー疾患等の原因とも言われている。そのため、断熱の方法として望ましいのは、熱容量の大きい建築躯体が夏冬の温度変化に影響され難い外断熱工法が望ましく、北欧等においては外断熱工法が主流となっている。しかし、日本においての断熱方法は殆どが内断熱工法で行われているのが実状である。その理由としては、従来から日本においては間取りと外観及び購入価格等が建築物購入の重要な判断基準であり断熱性能は二の次となっていることが考えられ、また、外断熱工法が望ましいとしても断熱施工に特別に対応出来る足場を架設する必要がある等のコストアップ要因が多くて内断熱工法に比べ建築費が高くなるのに加えて、旧来の概念からの防火規制等の外断熱工法に不利な要因があっため、日本においては断熱の方法の殆どが内断熱工法となっていると推測される。しかし、居住者の室内環境に対する認識と要求の質が高まるとともに防火規制等についても緩和されてきたため外断熱工法が更に注目されて来ている。しかし、例えば施工面において、現行の施工方法と余り齟齬を来さず簡便に対応出来る工法の提案も未だ殆ど見当たらない等で外断熱工法が普及する環境に至っていない。このため、断熱工法として望ましい外断熱工法の普及がなされるために、簡便に施工が出来て容易に外断熱工法の目的を達成出来うる方策の提案が望まれている。
【０００３】
【発明が解決しようとする課題】
本発明は、前述の従来技術に鑑みてなされたもので、断熱工法として望ましい外断熱工法の普及がなされるために、コンクリート外壁部の断熱を行う場合において、簡便に施工が出来て容易に外断熱工法の目的を達成出来うるコンクリート壁の外断熱施工方法および外断熱構造を提供することを目的とする。
【０００４】
【課題を解決するための手段】
前記の目的を達成するため、本発明のコンクリート壁の外断熱施工方法は、主要な施工内容が、コンクリート外壁部の外面に平行に間隔を保って縦方向に長尺状で断面が略溝形もしくはＨ形に類した両端部にフランジ部を有する形状の長尺状部材を該部材のコンクリート面側のフランジ部にてコンクリート外壁部に埋設されたアンカーボルトに締結して、次に、コンクリート表面に一面を接して前記長尺状部材間に断熱材を敷設するとともに前記長尺状部材の形状内に生ずる空間にも断熱材を充填し、その後、前記長尺状部材の外部側のフランジ部に平行な間隔を保って水平方向に長尺状で両端部にフランジ部を有した断面が略Ｕ字形のＵ字長尺状部材を締結して、その後、外装材を前記Ｕ字長尺状部材の外部側のフランジ部に締結たことを特徴とし、付加して、平行に敷設された前記Ｕ字長尺状部材間に断熱材を留め付けるための長尺状で断面が略Ｌ字に類した形状のＬ字長尺状部材を前記長尺状部材の外部側のフランジ部に締結したことを特徴とする。そして、本発明のコンクリート壁の外断熱構造は主要部が前記コンクリート壁の外断熱施工方法により構成された構造を有することを特徴とする。
【０００５】
【発明の実施の形態】
本発明のコンクリート壁の外断熱施工方法の実施の形態を図面を参照して説明するが、本発明のは本発明の趣旨に基づき本発明の目的を達成出来うる限りにおいて下記に説明する実施例には限定されない。図１は本発明のコンクリート壁外断熱施工方法および外断熱構造を説明する一実施例の部分縦断面図である。図２はその実施例の部分平断面図である。図３はその実施例の外装材を敷設する前の部分立面図である。図４は長尺状部材の実施例の説明図、図５はＵ字長尺状部材の実施例の説明図、図６はＬ字長尺状部材の実施例の説明図である。
【０００６】
本発明のコンクリート壁の外断熱施工方法は、図１〜３に示す様に、コンクリート外壁部７の外面に平行に間隔を保って縦方向に長尺状で断面が略溝形もしくはＨ形に類した両端部にフランジ部１ａ、１ｂを有する形状の長尺状部材１を該部材１のコンクリート面側のフランジ部１ａにてコンクリート外壁部７に埋設されたアンカーボルト４に締結して、次に、コンクリート外壁部７表面に一面を接して部材１、１間に断熱材５を敷設するとともに部材１の形状内に生ずる空間にも断熱材５ａを充填し、その後、部材１の外部側のフランジ部１ｂに平行な間隔を保って水平方向に長尺状で両端部にフランジ部を有した断面が略Ｕ字形のＵ字長尺状部材２をボルト・ナット等８にて締結して、その後、外装材６を前記Ｕ字長尺状部材２の外部側のフランジ部にボルト・ナット等８にて締結したことを特徴とし、付加して、平行に敷設された部材２，２間に断熱材５を留め付けるための長尺状で断面が略Ｌ字に類した形状のＬ字長尺状部材３を部材１の外部側のフランジ部１ｂにボルト・ナット等８にて締結したことを特徴とする。以下、本発明を構成する主要部材および部位の特記すべき詳細について説明する。
【０００７】
長尺状部材１は、材質は、例えば、鉄、ステンレス等の高強度で高耐久性の金属が用いられるが、これに代替しうる強度及び耐久性等の性能を有するものであれば用いることが出来る。そして、形状としては、例えば、図４に示す様に、リップ溝形鋼もしくはＨ形鋼に類した形状のものが用いられるが、アンカーボルトへの締結を勘案するとリップ溝形鋼に類する形状のものが好ましい。また、長さおよび各部詳細寸法ならびに該部材１の隣接との平行間隔等の設定については対応する外壁面形状および断熱材の必要とされる厚み等を勘案して適宜設定される。そして、コンクリート面側のフランジ部１ａにアンカーボルト４との締結用の孔１ｃおよび外部側のフランジ部１ｂにＵ字長尺状部材２との締結用の孔１ｄが施されている。また、リップ溝形鋼に類する形状のものにおいては、図４のＡ図、Ｃ図に示す様に、施工に支障を来さない位置の両側のリップ部間を架橋して板状部材１ｅを固着させることは部材強度を高めるために有効である。そして、該部材１の強度の面において支障が生じない範囲でウエッブ部に切り欠き部１ｆを施すことも熱橋を低減させるためには有効である。
【０００８】
Ｕ字長尺状部材２は、材質としては、長尺状部材１に準じた材質のものが用いられる。そして、形状としては、例えば、図５に示す様に、軽みぞ形鋼に類する形状のものが用いられる。また、長さおよび各部詳細寸法ならびに該部材１の隣接との平行間隔等の設定については対応する外壁面形状および外壁材の仕様ならびにボルト・ナット等による締結に必要な寸法等を勘案して適宜設定される。そして、両端のフランジ部には長尺状部材１との締結用の孔２ａおよび外装材６との締結用の孔２ｂが施されている。また、ウエッブ部には通気用の孔２ｃが必要な通気を確保出来る様に対応して孔径と個数が設定され配設されている。そして、図５のＡ図、Ｃ図に示す様に、部材２の締結等に支障を来さない位置に両端のフランジ部間を架橋して板状部材２ｄを固着させることは部材強度を高めるために有効である。
【０００９】
Ｌ字長尺状３は、材質としては、Ｕ字長尺状部材２に準じたもの、もしくは、例えば、塩化ビニル、ポリプロピレン、ポリカーボネート等の硬質のプラスチックが用いられる。そして、形状としては、例えば、図６に示す様に、軽Ｚ形鋼もしくは軽山形鋼に類した形状のものが用いらる。また、軽Ｚ形鋼に類する形状のものにおいては、図６のＡ図、Ｃ図、Ｄ図に示す様に、一方のフランジ部を複数の楔状に切り欠いた断熱材への貫入部３ａが設けられるとともに中間に位置するウエッブに相当する部位に長尺状部材１との締結用の孔３ｂが施されていて、軽山形鋼に類した形状のものにおいては、図６のＢ図に示す様に、一辺側に複数の切り欠いてカギ状に折り曲げた断熱材への貫入部３ａが設けられる。そして、長さおよび各部詳細寸法等については用いられる部材の材質および形状等を勘案して適宜設定される。
【００１０】
アンカーボルト４は、長尺状部材１留め付けることが出来る状態に埋設されていれば良くコンクリートへの埋設方法は限定されないが、アンカーボルト４の埋設位置の精度が求められるとともに簡便な埋設作業が求められることに対応するためには、本発明者が既に特許出願している「アンカーボルト埋設用部材およびコンクリート構造体へのアンカーボルト埋設固定方法（特願２００２−１５５４８８）」に準じて埋設されていることが好ましい。
【００１１】
断熱材５は、材質については、一般的に断熱材として用いられているもので防火規制等の要求される条件に対応出来うるものなら用いることが出来る。そして、厚みは要求される断熱性能等を勘案して設定されるとともに幅は長尺状部材１の平行間隔に連関して設定され、長さは適宜寸法に切断されていて良く連結して敷設されれば良い。断熱材５ａは、断熱材５に準じた材質のものを用いることが出来るが、長尺状部材１の空間を充分に充填するためにはロックウール等の繊維系断熱材を用いることが有効である。
【００１２】
外装材６は、一般的に外装材として用いられているものでＵ字長尺状部材２に留め付けることが出来るものであれば用いることが出来る。また、Ｕ字長尺状部材２への締結方法は、例えば、ボルト・ナット等が用いられるが、それに代わりうる方法も用いることが出来る。
【００１３】
【発明の効果】
本発明によれば、コンクリート外壁部において、簡便に施工出来て外断熱工法の目的を達成出来様になるので、断熱工法として望ましい外断熱工法の普及がなされるために貢献しうるとともに施工の合理化にも寄与出来うる。
【図面の簡単な説明】
【図１】本発明のコンクリート壁外断熱施工方法および外断熱構造を説明する一実施例の部分縦断面図である。
【図２】本発明のコンクリート壁外断熱施工方法および外断熱構造を説明する一実施例の部分平断面図である。
【図３】本発明のコンクリート壁外断熱施工方法および外断熱構造を説明する一実施例の外装材を敷設する前の部分立面図である。
【図４】長尺状部材の実施例の説明図であり、Ａ図はリップ溝形鋼の例の断面図、Ｂ図はＨ形鋼を加工した例の断面図、Ｃ図はＡ図の例の正面図、Ｄ図はＢ図の例の正面図である。
【図５】Ｕ字長尺状部材の実施例の説明図であり、Ａ図は軽みぞ形鋼の例の断面図、Ｂ図は正面図、Ｃ図は平面図である。
【図６】Ｌ字長尺状部材の実施例の説明図であり、Ａ図は軽Ｚ形鋼の例の断面図、Ｂ図は軽山形鋼の例の断面ず、Ｃ図はＡ図の例の正面図、Ｄ図はＡ図の例の平面図である。
【符号の説明】
１　；長尺状部材
１ａ；長尺状部材のコンクリート面側のフランジ部
１ｂ；長尺状部材の外部側のフランジ部
１ｃ；長尺状部材のアンカーボルトとの締結用の孔
１ｄ；長尺状部材のＵ字長尺状部材との締結用の孔
１ｅ；長尺状部材のリップ部間に固着させた板状部材
１ｆ；長尺状部材のウエッブ部の切り欠き部
２　；Ｕ字長尺状部材
２ａ；Ｕ字長尺状部材の長尺状部材との締結用の孔
２ｂ；Ｕ字長尺状部材の外装材との締結用の孔
２ｃ；Ｕ字長尺状部材の通気用の孔
３　；Ｌ字長尺状部材
３ａ；Ｌ字長尺状部材の断熱材への貫入部
３ｂ；Ｌ字長尺状部材の長尺状部材との締結用の孔
４　；アンカーボルト
５　；断熱材
５ａ；長尺状部材の形状内に生ずる空間に充填された断熱材
６　；外装材
７　；コンクリート外壁部
８　；部材締結用のボルト・ナット等
【図１】
2004019095.tif 000003
【図２】
2004019095.tif 000004
【図３】
2004019095.tif 000005
【図４】
2004019095.tif 000006
【図５】
2004019095.tif 000007
【図６】
2004019095.tif 000008